(57)【要約】【課題】光素子の信頼性を高く維持することのできる電気コネクタを提供して、より具体的には、埃等の侵入を防止する手段を有する電気コネクタを提供する。【解決手段】電気コネクタは、絶縁本体と、絶縁本体に保持される光ファイバーケーブルと、絶縁本体を包囲するシェルとを含み、絶縁本体とシェルとは、相手コネクタが挿入される挿入空間を構成し、絶縁本体は挿入空間へ突出する舌片が設けられ、光ファイバーケーブルは、挿入空間に露出される光素子を有して、光素子が絶縁本体の舌片の一側に配置され、電気コネクタは、光ファイバーケーブルの光素子を保護するための保護部材を含み、保護部材は光素子を略閉塞するためのシャッタ部材と、シャッタ部材に協働するスライド部材とを含み、スライド部材の移動に従ってシャッタ部材が回転させられ、これにより光素子が挿入空間に露出される。【選択図】図５
2010245040.tif 000002
【特許請求の範囲】
【請求項１】
光ファイバーケーブルを保持する絶縁本体と、前記絶縁本体に装着される複数の導電端子と、前記絶縁本体を包囲する金属製のシェルと、を含む電気コネクタにおいて、
前記絶縁本体とシェルとは、相手コネクタが挿入される挿入空間を構成し、前記絶縁本体は前記挿入空間へ突出する舌片が設けられ、
前記光ファイバーケーブルは、前記挿入空間に露出される光素子を有して、前記光素子が前記絶縁本体の舌片の一側に配置され、
電気コネクタは、前記光ファイバーケーブルの光素子を保護するための保護部材を含み、前記保護部材は、前記光素子を閉塞するためのシャッタ部材と、前記シャッタ部材に協働するスライド部材とを含み、
前記スライド部材の移動に従って前記シャッタ部材が回転させられ、これにより前記光素子が前記挿入空間に露出されることを特徴とする電気コネクタ。
【請求項２】
前記保護部材は、前記スライド部材の一側に当接された第一弾性部材を含み、該第一弾性部材が前記スライド部材を相手コネクタの離脱方向へ付勢し、前記シャッタ部材を前記光素子を閉塞する状態までに回復できることを特徴とする請求項１に記載の電気コネクタ。
【請求項３】
前記スライド部材には、ラックレールが設けられ、前記シャッタ部材は、前記光素子を閉塞するシャッタ部と、前記シャッタ部の下方に前記スライド部材のラックレールに噛み合うギアとを含むことを特徴とする請求項1又は２に記載の電気コネクタ。
【請求項４】
前記保護部材は、前記スライド部材の他側に当接された第二弾性部材を含み、相手コネクタが第二弾性部材を押圧して前記スライド部材を後向きに移動させることを特徴とする請求項１又は２に記載の電気コネクタ。
【請求項５】
前記スライド部材は、相手コネクタに押圧される押圧部と、前記押圧部から延出する移動部とを含み、前記絶縁本体に前記移動部を可動的に収容する取付溝が設けられることを特徴とする請求項１に記載の電気コネクタ。
【請求項６】
前記移動部の両側に屈曲部がそれぞれ形成され、前記シャッタ部材には前記屈曲部に枢接する軸部が設けられることを特徴とする請求項５に記載の電気コネクタ。
【請求項７】
相手コネクタが前記挿入空間に挿入される場合に、前記スライド部材の移動により前記シャッタ部材を回転させて前記光素子を露出させることを特徴とする請求項１乃至請求項６のいずれかの一項に記載の電気コネクタ。
【請求項８】
前記相手コネクタが前記挿入空間に挿入される場合に、前記シャッタ部材が垂直状態から水平状態まで回転し、前記シェルには前記シャッタ部材が貫通する凹部が形成されることを特徴とする請求項１に記載の電気コネクタ。
【請求項９】
前記相手コネクタが前記挿入空間に挿入される場合に、前記シャッタ部材が垂直状態から水平状態まで回転し、前記シャッタ部材が水平状態で前記取付溝に収容されることを特徴とする請求項５に記載の電気コネクタ。
【発明の詳細な説明】
【技術分野】
【０００１】
本発明は、高速信号を伝送できる電気コネクタに関し、特に、シャッタ部材を備える電気コネクタに関する。
【背景技術】
【０００２】
特許文献１を参照すると、従来の電気コネクタは、相手コネクタを嵌合する挿入空間を有する絶縁本体と、前記絶縁本体に装着された複数の導電端子と、絶縁本体に保持され光ファイバーケーブルとを含み、絶縁本体に前記挿入空間に突出する舌片が設けられ、該舌片の底部に複数の収容溝が形成され、前記導電端子は収容溝に収容され、弾性変形可能な接触部を備える。前記光ファイバーケーブルは、前記舌片の下方に位置し、挿入空間に露出される光素子を含む。
【先行技術文献】
【特許文献】
【０００３】
【特許文献１】中国特許出願公開第１０１３４５３５８号明細書
【発明の概要】
【発明が解決しようとする課題】
【０００４】
しかしながら、光ファイバーケーブルは前記挿入空間に露出するので、相手コネクタが挿入されていないときに、埃等が入り込むと、挿入空間に露出されている光素子が汚れる等して、光伝達効率が落ちて、所定の光信号伝達ができなくなる恐れがある。したがって、新たな電気コネクタを開発することが必要である。
【０００５】
本発明は、係る点に鑑みてなされたものであり、光素子の信頼性を高く維持することのできる電気コネクタを提供して、より具体的には、埃等の侵入を防止する手段を有する電気コネクタを提供することを目的とする。
【課題を解決するための手段】
【０００６】
本発明の電気コネクタは、絶縁本体と、前記絶縁本体に装着される複数の導電端子と、前記絶縁本体に保持される光ファイバーケーブルと、前記絶縁本体を包囲する金属製のシェルと、を含む電気コネクタにおいて、前記絶縁本体とシェルとは、相手コネクタを挿入する挿入空間を構成し、前記絶縁本体は前記挿入空間へ突出する舌片が設けられ、前記光ファイバーケーブルは、前記挿入空間に露出される光素子を有して、前記光素子が前記絶縁本体の舌片の一側に配置され、電気コネクタは、前記光ファイバーケーブルの光素子を保護するための保護部材を含み、前記保護部材は、前記光素子を略閉塞するためのシャッタ部材と、前記シャッタ部材に協働するスライド部材とを含み、前記スライド部材の移動に従って前記シャッタ部材が回転させられ、これにより前記光素子が前記挿入空間に露出されることを特徴とする。
【発明の効果】
【０００７】
従来技術に比べ、本発明は以下の利点を有する。電気コネクタが光素子を略閉塞するシャッタ部材が配置されることにより埃等の侵入を制限でき、光素子の汚れ等を防止でき、光素子の信頼性を高く維持している。
【図面の簡単な説明】
【０００８】
【図１】本発明に係る第一実施状態での電気コネクタの組立斜視図である。
【図２】図１に示す第一実施状態での電気コネクタの部分分解図である。
【図３】本発明に係る第一実施状態での電気コネクタの絶縁本体とシェルとを外した組立斜視図である。
【図４】本発明に係る第一実施状態での電気コネクタの分解斜視図である。
【図５】図１に示すA-A線に沿った断面図である。
【図６】図１に示す電気コネクタに相手コネクタを挿入した時の図１に示すA-A線に沿った断面図である。
【図７】本発明に係る第二実施状態での電気コネクタの組立斜視図である。
【図８】図７に示す電気コネクタの分解斜視図である。
【図９】本発明に係る第一実施状態での電気コネクタの絶縁本体とシェルとを外した組立斜視図である。
【図１０】図７に示すＢ-Ｂ線に沿った断面図である。
【図１１】図７に示す電気コネクタに相手コネクタを挿入した時の図１に示すA-A線に沿った断面図である。
【発明を実施するための形態】
【０００９】
以下、本発明についての実施形態を詳細に説明する。以下の説明において、後方は相手コネクタの挿入方向であり、前方は相手コネクタの離脱方向である。
【００１０】
図１乃至図６を参照すると、本発明の第一実施状態について説明している。本発明の電気コネクタ１００は、絶縁本体１と、絶縁本体１に装着される複数の導電端子２と、絶縁本体１に保持される複数の光伝送用の光ファイバーケーブル３と、光ファイバーケーブル３を保護するための保護部材４と、絶縁本体１を包囲する金属板からなるシェル５と、絶縁本体１の後端を覆ってシェル５に係合するためのカバー６とを含み、前記シェル５と絶縁本体１は、相手コネクタが挿入される挿入空間７を構成している。
【００１１】
絶縁本体１は、挿入空間７の後端に位置する基部１０と、基部１０の先端面１０１の上下側からそれぞれ延出する舌片１１及び補強部１２と、基部１０の先端面１０１に後向きに窪んで形成される取付溝１３とを設ける。舌片１１は、前記挿入空間７に突出し、下壁には導電端子２を挿入する複数の端子溝が並設される。
【００１２】
前記導電端子２は、基部１０に保持される固定部２１と、固定部２１から前向きに延出する接触部２２と、固定部２１から後向きに延出する半田部２３とを含み、接触部２２が舌片１１から突出して、収容溝内で弾性的な変形を生じる。
【００１３】
光ファイバーケーブル３は、本体部３１と、本体部３１から前向きに延出する延出部３２と、本体部３１から後向きに延出する半田片３３とを含む。延出部３２の先端部には、挿入空間７に露出される光素子３４と、挿入空間７に突出している位置決め部３５とが設けられ、前記位置決め部３５が光素子３４の両側にそれぞれ配置され、相手コネクタの位置決め孔に係合することにより相手コネクタを挿入空間７に保持して、光ファイバーケーブル３が絶縁本体１に保持される時に、光素子３４が舌片１１の一側に配置される。
【００１４】
前記保護部材４は、スライド部材４１と、スライド部材４１に協働するシャッタ部材４２と、シャッタ部材４２の両端にそれぞれ当接する第一弾性部材４３、第二弾性部材４４と、第二弾性部材４４に収容される挿入柱４５とを含む。前記スライド部材４１は、絶縁材料からなり、中間部での相手コネクタの挿入方向に直交する方向に沿って設けた第一延出部４１１と、第一延出部４１１の下部から前向きに延出する突出部４１２と、第一延出部４１１から後向きに延出する第一固定部４１３と、第一延出部４１１の後面から後向きに延出する第二延出部４１４とを含み、前記突出部４１２の頂面にはラックレール４１２１が設けられる。前記第二延出部４１４に第二固定部４１５が突出するように形成され、前記第二固定部４１５と第一固定部４１３が互いに反する方向に延出して、第二固定部４１５が第一固定部４１３の上方に位置する。
【００１５】
本実施状態において、前記第一弾性部材４３と第二弾性部材４４はスプリングである。第一弾性部材４３は、前記スライド部材４１を相手コネクタの離脱方向へ付勢し、一端が前記第一固定部４１３に保持され、他端が絶縁本体１に当接している。第二弾性部材44は、一端が前記第二固定部４１５に保持され、他端が前記挿入柱４１５に挿入される。前記シャッタ部材４２はシャッタ部４２１と、シャッタ部４２１の底部に設けられる第一軸部４２２と第二軸部４２３とを含み、前記第一軸部４２２は第二軸部４２３より長くなり、また、第一軸部４２２には前記スライド部材４１のラックレール４１２１に噛み合うギア４２２１が設けられる。
【００１６】
シェル５は、舌片１１を包囲する天板５１と、底板５２と、両側板５３、５４とを含み、前記底板５２の後端に凹部５２１が凹んで形成される。前記天板５１と、底板５２と、側板５３、５４とは、挿入空間７に突出する弾性片５５がそれぞれ設けられ、該弾性片５５により相手コネクタを保持する。
【００１７】
図２、図３及び図５を参照すると、組み合わせた際に、スライド部材４１と第一固定部４１３が取付溝１３内に収容され、相手コネクタに当接するために前記第二弾性部材４４の部分と挿入柱４５が挿入空間７まで延出している。この時、シャッタ部材４２が初期状態において基部１０の先端面１０１に当接して、シャッタ部４２１が相手コネクタの挿入方向に直交する方向に光素子３４を略閉塞するように配置され、埃等の侵入を防止でき、光素子が汚れること等を防止できる。
【００１８】
図６を参照すると、相手コネクタを挿入空間７に挿入する場合に、相手コネクタは挿入柱４５に当接して第二弾性部材４４を後向きに移動させ、これにより、スライド部材４１が後向きに移動される。スライド部材４１のラックレール４１２１がギア４２２１に噛み合うと共に、前記シャッタ部材４２のシャッタ部４２１が基部１０の先端面１０１に当接することで、シャッタ部材４２を前向きに回転させて光素子３４を露出させる。相手コネクタが挿入された場合に、シャッタ部４２１がシェル５の凹部５２１を貫通して底板５２の下方に位置し、第一弾性部材４３が圧縮される。
【００１９】
本実施状態において、第二弾性部材４４が挿入柱４５を介して相手コネクタに当接しているが、勿論、他の実施状態において、第二弾性部材４４が相手コネクタに直接当接してもいい。
【００２０】
相手コネクタを離脱する場合は、第一弾性部材４３の弾性力によって、スライド部材４１を相手コネクタの離脱方向へ移動させ、スライド部材４１のラックレール４１２１がギア４２２１に噛み合うことによって、シャッタ部材４２が初期状態に回復して、光素子３４を保護する目的を達成する。
【００２１】
図7乃至図１１を参照すると、本発明の第二実施状態について説明している。第一実施状態と異なるものは、保護部材の構造であり、他の同じ構造はここで詳細に説明しない。第二実施状態においての電気コネクタ１００’は、光素子を保護するための保護部材４’を含み、該保護部材４’はスライド部材４１’と、シャッタ部材４２’と、スライド部材４１’に当接する第一弾性部材４３’とを含む。
【００２２】
前記スライド部材４１’は、金属材料からなり、ｎ字形状を呈して、前記シャッタ部材４２’に当接する本体部411’と、本体部４１１’の両端の一対の屈曲部４１２’と、各屈曲部４１２’から後向きに延出する移動部４１３’と、前記移動部４１３’から上向きに延出するＬ字形状を呈する押圧部４１４’とを一体に設る。
【００２３】
前記シャッタ部材４２’は、シャッタ部４２１’と、シャッタ部４２１’の両側での第一軸部４２２’及び第二軸部４２３’と、を含み、前記第一軸部４２２’と第二軸部４２３’とは、長さが同じであり、スライド部材の屈曲部４１２’にそれぞれ枢接される。前記第一弾性部材４３’は、前記スライド部材４１’を相手コネクタの離脱方向へ付勢し、一対のスプリング４３１’、４３２’と、前記一対のスプリングを連接する連接部４３３’とを含む。
【００２４】
前記第一弾性部材４３’は絶縁本体１’の後端面１０２’から絶縁本体１’の収容孔に装着され、スライド部材４１’は絶縁本体１’の先端面１０１’から絶縁本体１’に装着される。シャッタ部材４２’の第一軸部４２２’と第二軸部４２３’がスライド部材４１の屈曲部４１２’に挿入される。絶縁本体１’にスライド部材４１’を収容するための取付溝１３’が形成され、スライド部材４１’の屈曲部４１２’と移動部４１３’が前記取付溝１３’にスライド可能に収容される。
【００２５】
前記第一弾性部材４３’の連接部４３３’がカバー6’の内壁６１’に当接することによって、第一弾性部材４３’の後向きへの移動が制限され、スプリング４３１’、４３２’がスライド部材４１’の屈曲部４１２’の一側に当接している。絶縁本体１’には、前記屈曲部４１２’の他側に当接して、屈曲部４１２’の後向きへの移動を制限する凸部１１’が設けられる。相手コネクタを挿入しない場合に、シャッタ部４２１’は、絶縁本体１’の先端面１０１に接触して、相手コネクタの挿入方向に直交する方向に光素子３４’を略閉塞するように配置され、埃等の侵入を防止でき、光素子が汚れること等を防止できる。
【００２６】
図１１を参照すると、相手コネクタを挿入空間７’に挿入する場合に、相手コネクタがスライド部材４１’の押圧部４１４’を押圧することによりスライド部材４１’を後向きへ移動させ、第一弾性部材４３’のスプリング４３１’、４３２’が圧縮されている。スライド部材４１’の移動に従って、屈曲部４１２’と各屈曲部４１２’内に収容される第一軸部４２２’、第二軸部４２３’とは後向きへ移動され、シャッタ部４２１’は先端面１０１’に当接して相手コネクタの挿入方向に平行な状態まで回転される。最後に、相手コネクタを挿入した場合に、前記シャッタ部４２１’が取付溝１３’に収容され、光素子３４’が完全に露出され、相手コネクタとの接触が容易になる。
【００２７】
相手コネクタを挿入空間７’から離脱する際に、前記スプリング４３１’、４３２’の弾性力によって、スライド部材４１’を前向きへ移動させ、シャッタ部材４２を初期状態まで回復して、光素子３４’を保護する目的を達成する。  
【００２８】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２９】
１  絶縁本体
２  導電端子
３  光ファイバーケーブル
４  保護部材
５  シェル
６  カバー
７  挿入空間
１１  舌片
１３  取付溝
３４  光素子
４１  スライド部材
４２  シャッタ部材
４３  第一弾性部材
４４  第二弾性部材
４１２’  屈曲部
４１３’  移動部
４１４’  押圧部
４２１  シャッタ部
４１２１  ラックレール
４２２１  ギア
【図１】
2010245040.tif 000003
【図２】
2010245040.tif 000004
【図３】
2010245040.tif 000005
【図４】
2010245040.tif 000006
【図５】
2010245040.tif 000007
【図６】
2010245040.tif 000008
【図７】
2010245040.tif 000009
【図８】
2010245040.tif 000010
【図９】
2010245040.tif 000011
【図１０】
2010245040.tif 000012
【図１１】
2010245040.tif 000013